(57)【要約】【課題】筆記用紙上に印字された罫線あるいはドットに、目安としての機能以外に新たな機能を付加することができる筆記用紙を提供する。【解決手段】横罫線２が印字された筆記用紙において、横罫線２が複数の文字からなる文字列で構成されている。このように、横罫線２を文字列で構成することで、意識されないレベルで呈示された刺激の知覚によって生体に何らかの影響があるといわれる、いわゆるサブリミナル効果を筆記者に与えることができる。【選択図】図２
0003169623.tif 000002
【実用新案登録請求の範囲】
【請求項１】
横罫線および縦罫線の少なくともいずれか一方が印字された筆記用紙であって、
前記横罫線および縦罫線の少なくともいずれか一方が、複数の文字からなる文字列で構成されていることを特徴とする筆記用紙。
【請求項２】
格子点状にドットが印字された筆記用紙であって、
前記ドットが、文字からなることを特徴とする筆記用紙。
【考案の詳細な説明】
【技術分野】
【０００１】
本考案は、筆記用紙に関し、特に、ノートやルーズリーフ用紙、メモ用紙、リーガルパッド、レポートパッド等の各種筆記用紙に関する。
【背景技術】
【０００２】
一般に、冊子状に綴じられたノートやルーズリーフのリフィルなどに使用されるルーズリーフ用紙、あるいはメモ用紙等の各種筆記用紙として、所定行数の横罫線が印字されているもの（例えば、特許文献１参照）や、方眼罫線が印字されているもの（例えば、特許文献２参照）が知られている。
【０００３】
横罫線が印字された筆記用紙は、横罫線に従って文章を記載できることから、罫線の無い筆記用紙と比較して、文字等が書き易いという利点を有する。
【０００４】
また、方眼罫線が印字された筆記用紙は、方眼罫線により区切られた升目を利用することにより、グラフや表、図形等を描画する点で非常に有効である。また、近年では、方眼罫線に代えて複数のドットが格子点状に印字されたものもある。
【先行技術文献】
【特許文献】
【０００５】
【特許文献１】実用新案登録第３１５９２２４号公報
【特許文献２】実用新案登録第３１５６８８０号公報
【考案の概要】
【考案が解決しようとする課題】
【０００６】
しかしながら、上述した特許文献１や特許文献２に記載された筆記用紙において、横罫線あるいは方眼罫線は、単に文字や図形等を記載する際の目安としてのみ利用されているのが実状である。すなわち、これら罫線は、文字や図形等を記載する際の補助的な役割を担うに過ぎず、その他の用途として用いられることがない。ドットが印字されたものについても、同様である。
【０００７】
このように、従来の筆記用紙においては、罫線あるいはドットに、目安としての機能以外に新たな機能を付加することについてなんら考慮されていなかった。
【０００８】
本考案は、上述のような事情に鑑みなされたもので、罫線あるいはドットに、目安としての機能以外に新たな機能を付加することができる筆記用紙を提供することを目的とする。
【課題を解決するための手段】
【０００９】
本考案に係る筆記用紙は、上記目的達成のため、横罫線および縦罫線の少なくともいずれか一方が印字された筆記用紙であって、前記横罫線および縦罫線の少なくともいずれか一方が、複数の文字からなる文字列で構成されている。
【００１０】
この構成により、本考案に係る筆記用紙は、横罫線および縦罫線の少なくともいずれか一方が文字列で構成されているので、これら罫線に、文字や図形等を記載する際の目安としての機能以外に、筆記者に意識されない程度のレベルで文字列として認識させるという新たな機能を付加することができる。
【００１１】
具体的には、罫線を目安として筆記者が文字や図形等を記載する際に、罫線を構成する文字列を意識されない程度のレベルで筆記者の潜在意識に送り込むことができる。つまり、本考案に係る筆記用紙は、罫線を文字列で構成することで、意識されないレベルで呈示された刺激の知覚によって生体に何らかの影響があるといわれる、いわゆるサブリミナル効果を筆記者に与えることができる。したがって、本考案に係る筆記用紙は、罫線を構成する文字列の内容によって、筆記者の生理的欲求や心理的効果を誘発、促進することが可能となる。
【００１２】
また、本考案に係る筆記用紙は、上記目的達成のため、格子点状にドットが印字された筆記用紙であって、前記ドットが、文字からなる構成を有する。
【００１３】
この構成により、本考案に係る筆記用紙は、ドットが文字で構成されているので、ドットに、文字や図形等を記載する際の目安としての機能以外に、筆記者に意識されない程度のレベルで文字として認識させるという新たな機能を付加することができる。
【００１４】
具体的には、ドットを目安として筆記者が文字や図形等を記載する際に、ドットを構成する文字を意識されない程度のレベルで筆記者の潜在意識に送り込むことができる。つまり、本考案に係る筆記用紙は、ドットを文字で構成することで、意識されないレベルで呈示された刺激の知覚によって生体に何らかの影響があるといわれる、いわゆるサブリミナル効果を筆記者に与えることができる。したがって、本考案に係る筆記用紙は、格子点状に配置された各ドットを構成する文字の組み合わせにより意味のある文字列を複数のドットで構成することができ、この文字列の内容によって、筆記者の生理的欲求や心理的効果を誘発、促進することが可能となる。
【考案の効果】
【００１５】
本考案によれば、罫線あるいはドットに、目安としての機能以外に新たな機能を付加することができる筆記用紙を提供することができる。
【図面の簡単な説明】
【００１６】
【図１】本考案の第１の実施の形態に係る筆記用紙の全体構成を示す平面図である。
【図２】図１中、Ａで示す部分を拡大した図である。
【図３】本考案の第２の実施の形態に係る筆記用紙の全体構成を示す平面図である。
【図４】図３中、Ｂで示す部分を拡大した図である。
【考案を実施するための形態】
【００１７】
以下、本考案の実施の形態について、図面を参照して説明する。
【００１８】
（第１の実施の形態）
本実施の形態においては、本考案に係る筆記用紙をノートの筆記用紙に適用した例について説明する。
【００１９】
本考案に係る筆記用紙は、ノート以外にルーズリーフ用紙、メモ用紙、リーガルパッド、レポートパッド等の各種筆記用紙にも適用可能である。また、ノートやリーガルパッド、レポートパッドおよびメモ用紙等の場合には、一般に左側や右側、上部側で綴られるが、ルーズリーフ用紙の場合には、バインダ等に綴られるため筆記用紙に適宜綴り穴が設けられる。
【００２０】
図１に示すように、筆記用紙１には、所定行数（例えば、３１行）の本文用の横罫線２と、項目欄用の横罫線３と、タイトル欄用の横罫線４とが印字されている。
【００２１】
縦に隣り合う横罫線２の間の領域には、文字等を記載する本文欄２ａが設けられている。ただし、最上位の本文欄２ａのみは、下側の横罫線２と項目欄用の横罫線３との間に設けられている。本文欄２ａの数は、筆記用紙１の所定行数と一致する。筆記用紙１に設けられる所定行数は、３１行に限らず、ノートのサイズや規格等により適宜選択される。
【００２２】
横罫線３の上部には、項目を記載する項目欄３ａが設けられ、項目欄３ａの縦の幅は、本文欄２ａの幅より大きくとられている。項目欄３ａの縦の幅は、本文欄２ａの幅と同一であってもよい。
【００２３】
横罫線４の上部には、タイトルを記載するタイトル欄４ａが設けられている。さらに、このタイトル欄４ａの右側には、日付を記載する日付欄４ｂが設けられている。ただし、この日付欄４ｂは、右側に限らず、左側に設けてもよい。また、裏面印刷された筆記用紙の場合には、ノートを見開いたときの外観および記入のし易さの観点から、ノートの見開き状態で、左側の筆記用紙では左側に、右側の筆記用紙では右側に配置するようにしてもよい。また、日付欄４ｂは、なくても構わない。
【００２４】
また、横罫線３、４は、横罫線２と比較して太い罫線で構成されている。実際には、後述するように、横罫線３、４を構成する文字列の各文字の大きさが横罫線２を構成する文字列の各文字よりも大きくなっている。
【００２５】
次に、図２を参照して、横罫線２の詳細な構成について説明する。
【００２６】
図２に示すように、横罫線２は、複数の文字Ｇ、Ｏ、Ｕ、Ｋ、Ａ、Ｋ、Ｕからなる文字列「ＧＯＵＫＡＫＵ」で構成され、この「ＧＯＵＫＡＫＵ」の文字列が繰り返し印字されている。「ＧＯＵＫＡＫＵ」の文字列は、一見して線のみで構成された通常の横罫線とかわりはないが、拡大して見ると認識し得る程度の大きさで印字されている。
【００２７】
横罫線２に用いられる文字列としては、図２に示す「ＧＯＵＫＡＫＵ」の他、例えば筆記用紙１を使用する筆記者の用途に関連して、「ＳＡＫＵＲＡＳＡＫＵ」、「ＡＲＩＧＡＴＯＵ」、「ＤＡＩＳＵＫＩ」、「ＳＨＩＡＷＡＳＥ」、「ＮＥＧＡＩＧＯＴＯＪＹＯＵＪＹＵ」、「ＯＭＥＤＥＴＯＵ」、「ＭＯＵＫＡＲＩＭＡＳＵ」、「ＯＫＵＭＡＮＣＨＯＵＪＹＡ」、「Ｗｅ  ａｒｅ  ａｌｌ  Ｏｎｅ」、「Ｉ  ｌｏｖｅ  ｆｏｒｅｖｅｒ」等、様々な文字列を採用することができる。また、横罫線２に用いられる文字列は、ローマ文字に限らず、漢字、ひらがな、片仮名、その他の言語等で構成してもよいことは言うまでもない。
【００２８】
また、横罫線３、４は、横罫線２と同様の文字列で構成されるが、横罫線２の文字列よりも大きな文字列となっている。これにより、横罫線２と区別され、項目欄３ａおよびタイトル欄４ａが本文欄２ａと明確に区別される。また、横罫線３、４の文字列は、横罫線２の文字列と異なるようにしてもよい。
【００２９】
また、横罫線２、３、４の各文字列は、いずれも黒または灰色、あるいは薄青色等で構成される。ただし、各文字列の色は、上記色に限らず、様々な色を用いることができる。また、各文字列のうち、例えば「Ｇ」の文字だけを他の文字と異なる色とし、他の文字と明確に区別するようにしてもよい。この場合、横罫線２、３、４がそれぞれ横方向に所定間隔で区切られることとなり、図形や補助線等が記載し易いという効果を奏する。
【００３０】
以上のように、本実施の形態に係る筆記用紙は、横罫線２、３、４が文字列で構成されているので、これら横罫線２、３、４に、文字や図形等を記載する際の目安としての機能以外に、筆記者に意識されない程度のレベルで文字列として認識させるという新たな機能を付加することができる。
【００３１】
具体的には、横罫線２、３、４を目安として筆記者が文字や図形等を記載する際に、横罫線２、３、４を構成する文字列を意識されない程度のレベルで筆記者の潜在意識に送り込むことができる。つまり、本実施の形態に係る筆記用紙は、横罫線２、３、４を文字列で構成することで、意識されないレベルで呈示された刺激の知覚によって生体に何らかの影響があるといわれる、いわゆるサブリミナル効果を筆記者に与えることができる。したがって、本実施の形態に係る筆記用紙は、横罫線２、３、４を構成する文字列の内容によって、筆記者の生理的欲求や心理的効果を誘発、促進することが可能となる。
【００３２】
なお、本実施の形態においては、横罫線のみが印字された筆記用紙について説明したが、これに限らず、横罫線に加えて縦罫線が印字された升目状の筆記用紙にも適用可能である。この場合、横罫線および縦罫線の両方を文字列で構成してもよいし、横罫線または縦罫線のいずれかを文字列で構成してもよい。
【００３３】
（第２の実施の形態）
本実施の形態では、上述した第１の実施の形態と異なり、文字や図形等を記載する際の目安として格子点状にドットが印字された筆記用紙をメモ用紙に適用した例について説明する。
【００３４】
本実施の形態に係る筆記用紙は、メモ用紙以外にノート、ルーズリーフ用紙、リーガルパッド、レポートパッド等の各種筆記用紙にも適用可能である。
【００３５】
図３に示すように、筆記用紙１０には、格子点状に所定数のドット１１が印字されている。また、各ドット１１の印字領域の上部には、筆記用紙１０を使用する筆記者の用途に関連したタイトル１２が印字されている。このタイトル１２は、筆記者の用途に関連した文字列が選択される。また、タイトル１２は、なくても構わない。
【００３６】
各ドット１１は、縦横に等間隔（例えば、５ｍｍ間隔）で配置され、全てのドット１１を線で結ぶと方眼罫線を構成するようになっている。ただし、各ドット１１は、縦横の間隔を異なるように配置してもよい。また、各ドット１１の間隔は、メモ用紙の大きさ、規格等により適宜変更される。
【００３７】
図４に示すように、各ドット１１は、一の文字で構成されており、例えば横並びでそれぞれ異なる文字で構成されている。そして、これら各文字により特定の意味を生じさせる文字列を構成するようになっている。本実施の形態では、横並びの４つのドット１１で「家内安全」という文字列１５を構成し、文字列１５から連続した横並びの４つのドット１１で「商売繁盛」という文字列１６を構成している。これら文字列１５および文字列１６は、横方向に繰り返し、印字されている。また、文字列１５、１６が縦並びとなるように各ドット１１に所定の文字を割り当てることも可能である。
【００３８】
文字列１５、１６としては、「家内安全」、「商売繁盛」に限らず、筆記用紙１０を使用する筆記者の用途に関連した様々な文字列を採用することができる。また、２つの異なる文字列を横並びに繰り返し印字する以外に、一の文字列を繰り返し印字するようにしてもよいし、３つ以上の文字列を繰り返し印字するようにしてもよい。さらに、ドット１１に用いられる文字列は、ローマ文字に限らず、漢字、ひらがな、片仮名、その他の言語等で構成してもよいことは言うまでもない。
【００３９】
また、各ドット１１は、いずれも黒または灰色、あるいは薄青色等で構成される。ただし、各ドット１１の色は、上記色に限らず、様々な色を用いることができる。
【００４０】
以上のように、本実施の形態に係る筆記用紙は、ドット１１が文字で構成されているので、ドット１１に、文字や図形等を記載する際の目安としての機能以外に、筆記者に意識されない程度のレベルで文字として認識させるという新たな機能を付加することができる。
【００４１】
具体的には、ドット１１を目安として筆記者が文字や図形等を記載する際に、ドット１１を構成する文字を意識されない程度のレベルで筆記者の潜在意識に送り込むことができる。つまり、本実施の形態に係る筆記用紙は、ドット１１を文字で構成することで、第１の実施の形態と同様、サブリミナル効果を筆記者に与えることができる。したがって、本実施の形態に係る筆記用紙は、格子点状に配置された各ドット１１を構成する文字の組み合わせにより意味のある文字列１５、１６を複数のドット１１で構成することができ、この文字列１５、１６の内容によって、筆記者の生理的欲求や心理的効果を誘発、促進することが可能となる。
【符号の説明】
【００４２】
１  筆記用紙
２、３、４  横罫線
２ａ  本文欄
３ａ  項目欄
４ａ  タイトル欄
４ｂ  日付欄
１０  筆記用紙
１１  ドット
１２  タイトル
１５、１６  文字列
【図１】
0003169623.tif 000003
【図２】
0003169623.tif 000004
【図３】
0003169623.tif 000005
【図４】
0003169623.tif 000006
【手続補正書】
【提出日】平成23年6月8日(2011.6.8)
【手続補正１】
【補正対象書類名】実用新案登録請求の範囲
【補正対象項目名】全文
【補正方法】変更
【補正の内容】
【実用新案登録請求の範囲】
【請求項１】
横罫線および縦罫線の少なくともいずれか一方が印字された筆記用紙であって、
前記横罫線および縦罫線の少なくともいずれか一方が、複数の文字からなる文字列で構成されていることを特徴とする筆記用紙。